(57)【要約】  カメラＣＡＭのセットにより監視領域ＳＺのセットをモニター可能なビデオ監視システムＶＳＳを動作させるために、ビデオ監視システムＶＳＳと通信可能な通信ネットワークＴＮ内のアプリケーションサーバーＡＳは：  緊急通報センターＥＣＣとの緊急通報を確立した、そのユーザーが事象の目撃者である、各移動端末ＭＴに対し、移動端末ＭＴに関する位置データＬｏｃＤを取得するステップと、  取得された位置データを用いて、前記移動端末が監視領域ＳＺに位置するかを決定するステップと、  移動端末から送信されたメッセージＭｅｓを受信するステップであって、メッセージは現在の位置データＬｏｃＤｃと事象への方向とを含む、受信するステップと、  少なくとも２つの移動端末が同一の監視領域ＳＺに位置する場合に、前記少なくとも２つの移動端末により提供される前記現在の位置データＬｏｃＤｃと前記方向とを考慮して、事象の座標ＣｄＩを計算するステップと、  事象の座標ＣｄＩを含む事象メッセージＭｅｓＩを、事象の座標を用いて少なくとも１つのカメラＣＡＭを選択可能なビデオ監視システムＶＳＳへ送信するステップとを実行する。
2016503256.tif 000002
【特許請求の範囲】
【請求項１】
カメラ（ＣＡＭ）のセットにより監視領域（ＳＺ）のセットをモニター可能なビデオ監視システム（ＶＳＳ）を動作させるための方法であって、ビデオ監視システム（ＶＳＳ）と通信可能な通信ネットワーク（ＴＮ）内のアプリケーションサーバー（ＡＳ）において、
緊急通報センター（ＥＣＣ）との緊急通報を確立した、そのユーザーが事象の目撃者である、各移動端末（ＭＴ）に対し、移動端末（ＭＴ）に関する位置データ（ＬｏｃＤ）を取得するステップ（Ｓ１）と、
取得された位置データ（ＬｏｃＤ）を用いて、移動端末が監視領域（ＳＺ）に位置するかを決定するステップ（Ｓ２）と、
移動端末から送信されたメッセージ（Ｍｅｓ）を受信するステップ（Ｓ４）であって、メッセージ（Ｍｅｓ）は現在の位置データ（ＬｏｃＤｃ）と事象への方向とを含む、受信するステップ（Ｓ４）と、
少なくとも２つの移動端末（ＭＴ）が同一の監視領域（ＳＺ）に位置する場合に、前記少なくとも２つの移動端末により提供される前記現在の位置データ（ＬｏｃＤｃ）と前記方向とを考慮して、事象の座標（ＣｄＩ）を計算するステップ（Ｓ５）と、
事象の座標（ＣｄＩ）を含む事象メッセージ（ＭｅｓＩ）を、事象の座標（ＣｄＩ）を用いて少なくとも１つのカメラ（ＣＡＭ）を選択可能なビデオ監視システム（ＶＳＳ）へ送信するステップ（Ｓ６）と
を備える、方法。
【請求項２】
アプリケーションサーバー（ＡＳ）が、２つの移動端末（ＭＴ）の現在の位置データ（ＬｏｃＤｃ）と監視領域（ＳＺ）の座標（ＣｄＺ）との関連付けを行うことで、２つの移動端末（ＭＴ）が同一の監視領域（ＳＺ）に位置するかを決定する、請求項１に記載の方法。
【請求項３】
アプリケーションサーバー（ＡＳ）が、取得された位置データ（ＬｏｃＤ）と監視領域（ＳＺ）の座標（ＣｄＺ）との関連付けを行うことで、移動端末が監視領域（ＳＺ）に位置するかを決定する、請求項１または２に記載の方法。
【請求項４】
アプリケーションサーバー（ＡＳ）が、２人のユーザーの現在の位置データに対応する座標から開始する２つの方向の交点を計算して、事象の座標（ＣｄＩ）を取得する、請求項１から３のいずれか一項に記載の方法。
【請求項５】
受信されたメッセージ（Ｍｅｓ）がタイムスタンプをさらに含み、少なくとも２つの移動端末（ＭＴ）が設定された時間帯に同一の監視領域（ＳＺ）に位置する場合に、事象の座標（ＣｄＩ）が計算される、請求項１から４のいずれか一項に記載の方法。
【請求項６】
移動端末から送信されるメッセージ（Ｍｅｓ）が、移動端末（ＴＭ）で実行されるアプリケーション（ＡｐｐＥ）により生成される、請求項１から５のいずれか一項に記載の方法。
【請求項７】
移動端末が監視領域（ＳＺ）に位置するかを決定した後、アプリケーションサーバー（ＡＳ）が移動端末にメッセージを送信し、メッセージが、移動端末（ＭＴ）がアプリケーション（ＡｐｐＥ）をダウンロードするための、前記アプリケーション（ＡｐｐＥ）をホストするサーバーへのリンクを含む、請求項６に記載の方法。
【請求項８】
移動端末が監視領域（ＳＺ）に位置するか、および、アプリケーション（ＡｐｐＥ）が既に移動端末（ＭＴ）に実装されているかを決定した後、アプリケーションサーバー（ＡＳ）がメッセージを移動端末に送信し、メッセージが前記アプリケーションを選択するための指示または前記アプリケーションを起動させるコマンドを含む、請求項６に記載の方法。
【請求項９】
アプリケーション（ＡｐｐＥ）が、ユーザーの協力を得て、事象への方向を決定する、請求項６から８のいずれか一項に記載の方法。
【請求項１０】
アプリケーション（ＡｐｐＥ）が、センサーおよび／またはエンドユーザーの入力を用いる、請求項８に記載の方法。
【請求項１１】
カメラ（ＣＡＭ）のセットにより監視領域（ＳＺ）のセットをモニター可能なビデオ監視システム（ＶＳＳ）を動作させるための通信ネットワーク（ＴＮ）内のアプリケーションサーバー（ＡＳ）であって、ビデオ監視システム（ＶＳＳ）と通信可能であり、
緊急通報センター（ＥＣＣ）との緊急通報を確立した、そのユーザーが事象の目撃者である、各移動端末（ＭＴ）に対し、移動端末（ＭＴ）に関する位置データ（ＬｏｃＤ）を取得するための手段（ＡＣＱ）と、
取得された位置データ（ＬｏｃＤ）を用いて、移動端末が監視領域（ＳＺ）に位置するかを決定するための手段（ＬＯＣ）と、
移動端末から送信されたメッセージ（Ｍｅｓ）を受信するための手段（ＰＯＳ）であって、メッセージ（Ｍｅｓ）は現在の位置データ（ＬｏｃＤｃ）と事象への方向とを含む、受信するための手段（ＰＯＳ）と、
少なくとも２つの移動端末（ＭＴ）が同一の監視領域（ＳＺ）に位置する場合に、前記少なくとも２つの移動端末により提供される前記現在の位置データ（ＬｏｃＤｃ）と前記方向とを考慮して、事象の座標（ＣｄＩ）を計算するための手段（ＰＯＳ）と、
事象の座標（ＣｄＩ）を含む事象メッセージ（ＭｅｓＩ）を、事象の座標（ＣｄＩ）を用いて少なくとも１つのカメラ（ＣＡＭ）を選択可能なビデオ監視システム（ＶＳＳ）へ送信するための手段（ＴＲＡ）と
を備える、アプリケーションサーバー（ＡＳ）。
【請求項１２】
カメラ（ＣＡＭ）のセットにより監視領域（ＳＺ）のセットをモニター可能なビデオ監視システム（ＶＳＳ）を動作させるための通信ネットワーク（ＴＮ）内のアプリケーションサーバー（ＡＳ）において実行されるように構成されたコンピュータプログラムであって、アプリケーションサーバー（ＡＳ）はビデオ監視システム（ＶＳＳ）と通信可能であり、前記プログラムが前記プレゼンスサーバーで実行された場合に、
緊急通報センター（ＥＣＣ）との緊急通報を確立した、そのユーザーが事象の目撃者である、各移動端末（ＭＴ）に対し、移動端末（ＭＴ）に関する位置データ（ＬｏｃＤ）を取得するステップ（Ｓ１）と、
取得された位置データ（ＬｏｃＤ）を用いて、移動端末が監視領域（ＳＺ）に位置するかを決定するステップ（Ｓ２）と、
移動端末から送信されたメッセージ（Ｍｅｓ）を受信するステップ（Ｓ４）であって、メッセージ（Ｍｅｓ）は現在の位置データ（ＬｏｃＤｃ）と事象への方向とを含む、受信するステップ（Ｓ４）と、
少なくとも２つの移動端末（ＭＴ）が同一の監視領域（ＳＺ）に位置する場合に、前記少なくとも２つの移動端末により提供される前記現在の位置データ（ＬｏｃＤｃ）と前記方向とを考慮して、事象の座標（ＣｄＩ）を計算するステップ（Ｓ５）と、
事象の座標（ＣｄＩ）を含む事象メッセージ（ＭｅｓＩ）を、事象の座標（ＣｄＩ）を用いて少なくとも１つのカメラ（ＣＡＭ）を選択可能なビデオ監視システム（ＶＳＳ）へ送信するステップ（Ｓ６）と
を実行する命令を含む、コンピュータプログラム。
【発明の詳細な説明】
【技術分野】
【０００１】
本発明は一般的に、ビデオ監視システムの技術分野に関する。
【背景技術】
【０００２】
ビデオ監視カメラシステムは、特に公的機関の場所の内部で、また、重要な企業、重要な公共インフラ、たとえば駅、空港、地下鉄、店舗、ガソリンスタンド．．．の内部でも、数年前からますます拡大している。世界的な傾向として、これらのシステムがますます利用されるようになっている。
【０００３】
さらに、インターネットプロトコルＩＰなどの新技術は、既に運営されている高速ネットワーク上でのそのようなシステムの配備を促進した。また、カメラの高精細なビデオ品質は、そのようなビデオ監視カメラシステムに有利となる大きな進歩をした。
【０００４】
この状況において、第１の技術課題は、情報の格納である。ビデオ圧縮がますます効率的になり格納能力が大きくなっているとしても、膨大な数のビデオカメラからのビデオ情報の格納は、深刻な懸念である。これは、いくつかの規制、国および状況の依存により、格納に対する法定時間量が義務付けられるので、さらにいっそう困難である。
【０００５】
第２の技術課題は、ビデオのリアルタイムおよび事後の分析である。リアルタイム分析は、たくさんのビデオソースが存在し、専門家および分析者が限られているので、困難である。
【０００６】
事後分析は、保存されたビデオの量および分析の時間制限を考慮すると困難であり、すなわち、効率的なビデオ分析は要求後にすぐに行われる場合に効率的となり、また、進めるのに何時間または何日もかかる場合に効率が低下する。
【０００７】
ビデオ分析技術、特に行動分析は、ビデオ監視カメラシステムの普及とともに広範囲に市販された。しかしながら、これらのシステムは、擬陽性率があまりに高いという欠点があるので、運用上まだ使用可能ではない。これは、特に監視におけるアセットの高い感度（ｓｅｎｓｉｔｉｖｅｎｅｓｓ）を考慮すると、これらの自動システムを配備するためには大きな負担となる。したがって、人手による分析はまだ多いに用いられる。
【０００８】
したがって今日では、既存のビデオ監視カメラシステムは、格納および計算容量のような多くの情報技術資源を要する。同様にそれらは、画像の分析のための、また、システムの統括管理のための、人的な専門性に依然として高く依存している。
【発明の概要】
【発明が解決しようとする課題】
【０００９】
格納およびリアルタイム処理の２つの問題の一部を解決して、配備される監視システムの全体的な有効性を改善する必要がある。
【００１０】
したがって、上記の要求（複数可）および／またはその他に対処する、新規および／または改良されたシステムおよび／または方法が開示される。
【課題を解決するための手段】
【００１１】
本概要は、本発明の主題に関する概念を紹介するために提供される。本概要は、特許請求された主題の必須の特徴を特定するものではなく、特許請求された主題の範囲を決定または限定するためのものでもない。
【００１２】
一実施形態によれば、カメラのセットにより監視領域のセットをモニター可能なビデオ監視システムを動作させるための方法であって、ビデオ監視システムと通信可能な通信ネットワーク内のアプリケーションサーバーにおいて：
緊急通報センターとの緊急通報を確立した、そのユーザーが事象（ｉｎｃｉｄｅｎｔ）の目撃者である、各移動端末に対し、移動端末に関する位置データを取得するステップと、
取得された位置データを用いて、移動端末が監視領域に位置するかを決定するステップと、
移動端末から送信されたメッセージを受信するステップであって、メッセージは現在の位置データと事象への方向とを含む、受信するステップと、
少なくとも２つの移動端末が同一の監視領域に位置する場合に、前記少なくとも２つの移動端末により提供される前記現在の位置データと前記方向とを考慮して、事象の座標を計算するステップと、
事象の座標を含む事象メッセージを、事象の座標を用いて少なくとも１つのカメラを選択可能なビデオ監視システムへ送信するステップと
を備える、方法が提供される。
【００１３】
有利には、本発明は、格納容量と脅威への反応性とを改善する可能性を提供し、また、事象に必ずしも近くない緊急通報端末を発見し、脅威の場所を特定し提供するのに役立つ（特に、任意の事象を前にしてストレス下で）。
【００１４】
本発明は、ＳＣＡＤＡシステム（監視制御とデータ収集（Ｓｕｐｅｒｖｉｓｏｒｙ  Ｃｏｎｔｒｏｌ  Ａｎｄ  Ｄａｔａ  Ａｃｑｕｉｓｉｔｉｏｎ））により集中管理されるビデオ監視システムのための新規の知的かつ反応性の高い機能を開発する。本発明は、特定領域をモニターするカメラが、その領域で人々により発見される事象へ、できる限り早く効果的に移動およびフォーカスさせる。
【００１５】
一実施形態では、アプリケーションサーバーが、２つの移動端末の現在の位置データと監視領域の座標との関連付けを行うことで、２つの移動端末が同一の監視領域に位置するかを決定する。
【００１６】
一実施形態では、アプリケーションサーバーが、取得された位置データと監視領域の座標との関連付けを行うことで、移動端末が監視領域に位置するかを決定する。
【００１７】
一実施形態では、アプリケーションサーバーが、２人のユーザーの現在の位置データに対応する座標から開始する２つの方向の交点を計算して、事象の座標を取得する。
【００１８】
一実施形態では、受信されたメッセージがタイムスタンプをさらに含み、少なくとも２つの移動端末が設定された時間帯に同一の監視領域に位置する場合に、事象の座標が計算される。
【００１９】
一実施形態では、移動端末から送信されるメッセージが、移動端末で実行されるアプリケーションにより生成される。
【００２０】
一実施形態では、移動端末が監視領域に位置するかを決定した後、アプリケーションサーバーが移動端末にメッセージを送信し、メッセージが、移動端末がアプリケーションをダウンロードするための、前記アプリケーションをホストするサーバーへのリンクを含む。
【００２１】
一実施形態では、移動端末が監視領域に位置するか、および、アプリケーションが既に移動端末に実装されているかを決定した後、アプリケーションサーバーがメッセージを移動端末に送信し、メッセージが前記アプリケーションを選択するための指示または前記アプリケーションを起動させるコマンドを含む。
【００２２】
一実施形態では、アプリケーションが、ユーザーの協力を得て、事象への方向を決定する。
【００２３】
一実施形態では、アプリケーションが、センサーおよび／またはエンドユーザーの入力を用いる。
【００２４】
本発明のさらなる目的は、カメラのセットにより監視領域のセットをモニター可能なビデオ監視システムを動作させるための通信ネットワーク内のアプリケーションサーバーであって、ビデオ監視システムと通信可能であり、
緊急通報センターとの緊急通報を確立した、そのユーザーが事象の目撃者である、各移動端末に対し、移動端末に関する位置データを取得するための手段と、
取得された位置データを用いて、移動端末が監視領域に位置するかを決定するための手段と、
移動端末から送信されたメッセージを受信するための手段であって、メッセージは現在の位置データと事象への方向とを含む、受信するための手段と、
少なくとも２つの移動端末が同一の監視領域に位置する場合に、前記少なくとも２つの移動端末により提供される前記現在の位置データと前記方向とを考慮して、事象の座標を計算するための手段と、
事象の座標を含む事象メッセージを、事象の座標を用いて少なくとも１つのカメラを選択可能なビデオ監視システムへ送信するための手段と
を備える、アプリケーションサーバーである。
【００２５】
本発明はさらに、通信ネットワークにおける移動端末を用いたビデオ監視システムを動作させるためのサーバーにおいて実行されるように構成されるコンピュータプログラムであって、プログラムが前記サーバーで実行された場合に、本発明の方法のステップを実行する命令を含む、コンピュータプログラムに関する。
【００２６】
本発明の一部の実施形態を、ほんの一例として添付の図面を参照しながら以下説明する。
【図面の簡単な説明】
【００２７】
【図１】本発明の実施形態によるビデオ監視システムを含む通信システムの概略的なブロック図である。
【図２】本発明の実施形態による、通信ネットワークにおける移動端末を用いたビデオ監視システムを動作させるための方法を実行するために実施されるステップを示すフローチャートの図である。
【発明を実施するための形態】
【００２８】
全ての図面において、同一の参照番号は同一の要素または同一の種類の要素を表す。
【００２９】
図面および以下の説明は、本発明の特定の例示の実施形態を示す。したがって、本明細書では明示的に説明したり図示したりしないが、本発明の原理を具現化し、本発明の範囲に含まれる、様々な構成を当業者が考案できるであろうことは理解されよう。さらに、本明細書で説明される任意の実施例は、本発明の原理を理解するのに役立つように意図され、そのような具体的に列挙された実施例および条件に限定されないものと解釈されたい。結果として、本発明は、以下に説明される特定の実施形態または実施例ではなく、特許請求の範囲およびその均等物により限定される。
【００３０】
図１を参照すると、通信システムは、アプリケーションサーバーＡＳと、少なくとも２つの移動端末ＭＴとを備え、それらは通信ネットワークＴＮを介して互いに通信可能である。通信システムは、カメラＣＡＭのセットと接続され、アプリケーションサーバーＡＳと接続される、ビデオ監視システムＶＳＳをさらに備える。
【００３１】
通信ネットワークＴＮは、無線ネットワークであり、最終的に他の有線および無線ネットワークと結合される。
【００３２】
移動端末ＭＴは、無線通信移動端末であり得る。たとえば、移動端末ＭＴは携帯電話であるか、または、通信携帯情報端末ＰＤＡ、もしくはスマートフォンなどのインテリジェントな電話機である。
【００３３】
一例では、移動端末ＭＴは、たとえばＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）またはＬＴＥ（Ｌｏｎｇ  Ｔｅｒｍ  Ｅｖｏｌｕｔｉｏｎ）、または２Ｇ、３Ｇもしくは４Ｇ技術を用いた任意の無線通信ネットワークなどの、固定無線通信ネットワークのネットワークを含む無線アクセスネットワークへ、チャネルにより接続されるセルラー移動無線通信端末である。
【００３４】
移動端末は、たとえばイベントに関する方向を提供する可能性をエンドユーザーに与えるアプリケーションを実行可能であると仮定する。
【００３５】
ビデオ監視システムＶＳＳは、ビデオ監視オペレータにより管理される。ビデオ監視システムＶＳＳは、共同して動作するいくつかのサーバーを備えることができ、多数の遠隔測定（ｔｅｌｅｍｅｔｒｙ）をリアルタイムで処理するための、およびカメラなどの技術的設備を遠隔で制御するための、遠隔大規模管理システムであり得る。たとえば、ビデオ監視システムＶＳＳは、ＳＣＡＤＡ（監視制御とデータ収集）型のシステムである。
【００３６】
ビデオ監視システムＶＳＳは、通信モジュールＣＯＭと、管理モジュールＭＡＮとを備える。
【００３７】
通信モジュールＣＯＭは、通信ネットワークＴＮおよびアプリケーションサーバーＡＳと通信可能であるインターフェースである。
【００３８】
管理モジュールＭＡＮは、アプリケーションサーバーＡＳから受信されたデータを考慮してカメラＣＡＭのセットをモニターおよび制御することが可能であり、前記データは、たとえば位置データおよび方向に関する情報を含む。
【００３９】
カメラのセットは、監視領域ＳＺのセットをモニターすること専用とされる。各監視領域はカメラのサブセットによりモニターされ、サブセットは１つまたは複数のカメラを含む。
【００４０】
各カメラは、監視領域ＳＺと関連付けられ、監視領域ＳＺからの画像またはビデオを記録可能である電子アセンブリを備える。
【００４１】
任意選択で、ビデオ監視システムＶＳＳは、カメラの視野を修正するために、傾斜角、方位角または仰角のような、カメラの位置のパラメータを指示できる。
【００４２】
各監視領域ＳＺは、監視領域を地理的に定義する座標ＣｄＺのセットと関連付けられる。監視領域ＳＺは、対応するカメラのサブセットによりモニターされる領域よりも大きく、監視領域にいる人物がモニターされる領域で起こった事象を見ることができるようにビデオ監視システムＶＳＳにより定義されると仮定する。監視領域の外では、人物は前記モニターされる領域で発生する任意の事象の目撃者になり得ないと仮定する。
【００４３】
アプリケーションサーバーＡＳは、登録モジュールＲＥＧ、送信モジュールＴＲＡ、測位モジュールＰＯＳ、所在地モジュールＬＯＣ、データ取得モジュールＡＣＱ、アプリケーションストアモジュールＡＰＰを備える。
【００４４】
アプリケーションサーバーＡＳはまた、緊急通報を緊急通報センターＥＣＣにルーティングする通信ネットワークＴＮのサービスに接続される。
【００４５】
登録モジュールＲＥＧは、ビデオ監視オペレータの登録を扱う。それは、ビデオ監視オペレータの識別子と、カメラにモニターされるさまざまな監視領域とを含む、必要な情報をデータベースに格納することを可能とする。
【００４６】
送信モジュールＴＲＡは、ビデオ監視システムＶＳＳの通信モジュールＣＯＭと通信可能であるインターフェースである。
【００４７】
送信モジュールＴＲＡおよび通信モジュールＣＯＭは、アプリケーションサーバーＡＳおよびビデオ監視システムＶＳＳが、緊急事態の位置のような機密情報を、たとえば認証により機密性および完全性をもって安全に交換することを可能にする。
【００４８】
測位モジュールＰＯＳは、たとえば移動端末の位置と、移動端末のユーザーにより検出された事象の方向とに関する移動端末から受信された情報から、緊急事態の位置を計算する。
【００４９】
所在地モジュールＬＯＣは、緊急通報が、ビデオ監視オペレータによりモニターされる監視領域内であるかを調べる。
【００５０】
データ取得モジュールＡＣＱは、アプリケーションサーバーＡＳに、緊急サービスを呼び出している移動端末から位置および方向の情報を取得させる。
【００５１】
アプリケーションストアモジュールＡＰＰは、緊急事態の方向を提供する可能性をユーザーに与えるアプリケーションを移動端末にダウンロードさせる。
【００５２】
図２を参照すると、本発明の一実施形態による通信ネットワークにおける移動端末を用いたビデオ監視システムを動作させるための方法は、通信システムにおいて自動的に実行されるステップＳ１からＳ７を備える。
【００５３】
最初のステップＳ０１において、ビデオ監視システムＶＳＳの通信モジュールＳＵＢは、通信ネットワークＴＮに含まれるアプリケーションサーバーＡＳの登録モジュールＲＥＧへ、加入要求ＲｅｑＳを送信する。加入要求ＲｅｑＳは、監視領域の位置を含む。
【００５４】
任意選択で、アプリケーションサーバーＡＳは、各監視領域が十分な品質レベルで通信ネットワークによりカバーされているかを調べ、これらの品質レベルを含むビデオ監視システムＶＳＳへのメッセージを送信する。
【００５５】
登録モジュールＲＥＧは、監視領域の位置に関する情報を保存し、前記情報は移動端末の位置と監視領域とのマッピングを可能にする。
【００５６】
ステップＳ１において、移動端末ＭＴのユーザーは事象の目撃者であり、緊急通報センターＥＣＣへ緊急通報を確立する。
【００５７】
緊急通報は、アプリケーションサーバーＡＳを作動させる通信ネットワークにより検出され、同時に緊急通報は緊急通報センターＥＣＣへ送られて、ユーザーが事象を説明できるようにする。
【００５８】
データ取得モジュールＡＣＱは移動端末ＭＴに関する位置データＬｏｃＤを取得し、位置データＬｏｃＤは移動端末に内蔵されたＧＰＳのようなシステムから取得され、または、三角測量もしくは信号強度測定を用いた計算により決定される。
【００５９】
ステップＳ２において、所在地モジュールＬＯＣは、取得された位置データＬｏｃＤを用いて、移動端末が監視領域ＳＺに位置するか決定する。たとえば、所在地モジュールＬＯＣは、位置データＬｏｃＤと、さまざまな監視領域ＳＺの座標ＣｄＺとの関連付けを行う。
【００６０】
ステップＳ３において、移動端末が監視領域ＳＺに位置する場合、アプリケーションストアモジュールＡＰＰは、移動端末のモデル、特に移動端末で実行されるオペレーティングシステムを決定する。この目的のために、アプリケーションストアモジュールＡＰＰは、たとえば移動端末の電話番号に関連付けられたプロファイルを取得し得る。
【００６１】
アプリケーションストアモジュールＡＰＰは、移動端末のユーザーに緊急アプリケーションＡｐｐＥをダウンロードするように、たとえばダウンロードする前記緊急アプリケーションをホストするサーバーへのリンクを含むショートメッセージを送信することで、促す。
【００６２】
移動端末ＭＴは、緊急アプリケーションＡｐｐＥを、通信ネットワークＴＮの専用サーバーからダウンロードする。
【００６３】
緊急アプリケーションＡｐｐＥは、位置データおよび方向を提供可能である。たとえば、緊急アプリケーションＡｐｐＥは、コンパス機能を実装し得る。他の例では、緊急アプリケーションＡｐｐＥは、移動端末ＭＴのセンサーを使用して、ユーザーに事象の方向にジェスチャーを行うように促すことができる。他の例では、緊急アプリケーションＡｐｐＥは、移動端末ＭＴ上に表示される局所領域のマップ／３Ｄマップを送信でき、エンドユーザーは、事象の近似位置を指し示し、高度を与える。
【００６４】
緊急アプリケーションＡｐｐＥが既に移動端末ＭＴに実装されている場合、アプリケーションストアモジュールＡＰＰはメッセージを移動アプリケーションＭＴに送信し、ショートメッセージは、前記緊急アプリケーションを選択するための指示、または前記アプリケーションを起動させるコマンドを含む。
【００６５】
移動端末が監視領域ＳＺに位置しない場合、移動端末により提供されたデータは監視システムにより使用できないので、本方法は停止する。
【００６６】
ステップＳ４において、移動端末のユーザーは、事象への方向をユーザーの協力を得て決定し現在の位置データＬｏｃＤｃを取得する緊急アプリケーションＡｐｐＥを実行する。
【００６７】
緊急アプリケーションＡｐｐＥは、アプリケーションサーバーＡＳの測位モジュールＰＯＳへメッセージＭｅｓを生成および送信し、メッセージＭｅｓは現在の位置データＬｏｃＤｃと事象への方向とを含む。任意選択で、メッセージはタイムスタンプをさらに含む。
【００６８】
ステップＳ１からＳ４は、他の移動端末のユーザーが事象の目撃者である度に、繰り返される。
【００６９】
ステップＳ５において、測位モジュールＰＯＳは、緊急通報を確立したユーザーから取得された前記現在の位置データＬｏｃＤｃを関連付けることで、少なくとも２人のユーザーが同一の事象の目撃者であるかを調べる。任意選択で、測位モジュールＰＯＳは、２人のユーザーの各々に関連付けられたタイムスタンプを比較することで、少なくとも２人のユーザーが設定された時間帯における同一の事象の目撃者であるかを調べる。
【００７０】
２人のユーザーが、同一の監視領域ＳＺに位置する場合に、同一の事象の目撃者であると仮定され、それは、２人のユーザーの現在の位置データと、監視領域ＳＺの座標ＣｄＺとを用いて決定される。
【００７１】
少なくとも２人のユーザーが同一の事象の目撃者である場合に、測位モジュールＰＯＳは、２つの移動端末により提供された位置データおよび方向を考慮して、事象の座標ＣｄＩを計算する。
【００７２】
測位モジュールＰＯＳは、２人のユーザーの現在の位置データに対応する座標から開始する２つの方向の交点を計算して、事象の近似位置を取得することができる。
【００７３】
座標は、他の移動端末から取得された新しい情報を活用して、継続的に更新される。
【００７４】
ステップＳ６において、送信モジュールＴＲＡは、事象メッセージＭｅｓＩをビデオ監視システムＶＳＳに送信し、事象メッセージＭｅｓＩは座標ＣｄＩを含む。
【００７５】
ステップＳ７において、管理モジュールＭＡＮは、事象の座標ＣｄＩと、さまざまな監視領域ＳＺの座標ＣｄＺとを関連付けることで、少なくとも１つのカメラＣＡＭを選択する。そして、管理モジュールＭＡＮは、選択されたカメラＣＡＭに、事象にフォーカスするように命令することができる。
【００７６】
本方法のステップは、他の移動端末が同一の監視領域ＳＺに位置していると検出された場合に、事象の座標ＣｄＩの精度を向上させるために、繰り返され得る。
【００７７】
有利には、ビデオ監視オペレータは、収集された情報が：
−  記録されるビデオの品質
−  フォーカス、ズームなどのビデオの制御
−  ビデオカメラの量
−  画面の優先順位およびズーム
を駆動する方法を定義できる。
【００７８】
本明細書で説明された本発明は、通信ネットワークにおける移動端末を用いたビデオ監視システムを動作させるための方法およびサーバーに関する。実施形態において、本発明の方法のステップは、本発明によるアプリケーションサーバーＡＳのようなサーバーに組み込まれるコンピュータプログラムの命令により決定される。プログラムは、前記プログラムがデータ処理装置のプロセッサで実行され、そしてその動作がプログラムの実行により制御される場合に、本発明による方法のステップを実行するプログラム命令を含む。
【００７９】
結果として、本発明は、本発明を実施するように構成されたコンピュータプログラム、特にデータ処理装置により読み取り可能な情報媒体上または情報媒体内のコンピュータプログラムにもまた適用する。そのプログラムは任意のプログラム言語を用いてもよく、ソースコード、オブジェクトコード、または、ソースコードとオブジェクトコードとの間の中間コードの形式、たとえば部分的にコンパイルされた形式、または本発明による方法を実施するための任意の他の所望の形式でもよい。
【００８０】
情報媒体は、プログラムを格納可能な任意のエンティティまたは装置でもよい。たとえば媒体は、たとえばＣＤ  ＲＯＭもしくは超小型電子回路ＲＯＭなどのＲＯＭ、またはＵＳＢキー、またはディスケット（フロッピー（登録商標）ディスク）もしくはハードディスクなどの磁気記録手段などの、本発明によるコンピュータプログラムが記録される記憶手段または記録媒体を含んでもよい。
【図１】
2016503256.tif 000003
【図２】
2016503256.tif 000004
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
カメラ（ＣＡＭ）のセットにより監視領域（ＳＺ）のセットをモニター可能なビデオ監視システム（ＶＳＳ）を動作させるための方法であって、ビデオ監視システム（ＶＳＳ）と通信可能な通信ネットワーク（ＴＮ）内のアプリケーションサーバー（ＡＳ）において、
緊急通報センター（ＥＣＣ）との緊急通報を確立した、そのユーザーが事象の目撃者である、各移動端末（ＭＴ）に対し、移動端末（ＭＴ）に関する位置データ（ＬｏｃＤ）を取得するステップ（Ｓ１）と、
取得された位置データ（ＬｏｃＤ）を用いて、移動端末が監視領域（ＳＺ）に位置するかを決定するステップ（Ｓ２）と、
移動端末から送信されたメッセージ（Ｍｅｓ）を受信するステップ（Ｓ４）であって、メッセージ（Ｍｅｓ）は移動端末の現在の位置データ（ＬｏｃＤｃ）と移動端末から事象への方向とを含む、受信するステップ（Ｓ４）と、
少なくとも２つの移動端末（ＭＴ）が同一の監視領域（ＳＺ）に位置する場合に、前記少なくとも２つの移動端末により提供される前記現在の位置データ（ＬｏｃＤｃ）と前記方向とを考慮して、事象の座標（ＣｄＩ）を計算するステップ（Ｓ５）と、
事象の座標（ＣｄＩ）を含む事象メッセージ（ＭｅｓＩ）を、事象の座標（ＣｄＩ）を用いて少なくとも１つのカメラ（ＣＡＭ）を選択可能なビデオ監視システム（ＶＳＳ）へ送信するステップ（Ｓ６）と
を備える、方法。
【請求項２】
アプリケーションサーバー（ＡＳ）が、２つの移動端末（ＭＴ）の現在の位置データ（ＬｏｃＤｃ）と監視領域（ＳＺ）の座標（ＣｄＺ）との関連付けを行うことで、２つの移動端末（ＭＴ）が同一の監視領域（ＳＺ）に位置するかを決定する、請求項１に記載の方法。
【請求項３】
アプリケーションサーバー（ＡＳ）が、取得された位置データ（ＬｏｃＤ）と監視領域（ＳＺ）の座標（ＣｄＺ）との関連付けを行うことで、移動端末が監視領域（ＳＺ）に位置するかを決定する、請求項１または２に記載の方法。
【請求項４】
アプリケーションサーバー（ＡＳ）が、２人のユーザーの現在の位置データに対応する座標から開始する２つの方向の交点を計算して、事象の座標（ＣｄＩ）を取得する、請求項１から３のいずれか一項に記載の方法。
【請求項５】
受信されたメッセージ（Ｍｅｓ）がタイムスタンプをさらに含み、少なくとも２つの移動端末（ＭＴ）が設定された時間帯に同一の監視領域（ＳＺ）に位置する場合に、事象の座標（ＣｄＩ）が計算される、請求項１から４のいずれか一項に記載の方法。
【請求項６】
移動端末から送信されるメッセージ（Ｍｅｓ）が、移動端末（ＴＭ）で実行されるアプリケーション（ＡｐｐＥ）により生成される、請求項１から５のいずれか一項に記載の方法。
【請求項７】
移動端末が監視領域（ＳＺ）に位置するかを決定した後、アプリケーションサーバー（ＡＳ）が移動端末にメッセージを送信し、メッセージが、移動端末（ＭＴ）がアプリケーション（ＡｐｐＥ）をダウンロードするための、前記アプリケーション（ＡｐｐＥ）をホストするサーバーへのリンクを含む、請求項６に記載の方法。
【請求項８】
移動端末が監視領域（ＳＺ）に位置するか、および、アプリケーション（ＡｐｐＥ）が既に移動端末（ＭＴ）に実装されているかを決定した後、アプリケーションサーバー（ＡＳ）がメッセージを移動端末に送信し、メッセージが前記アプリケーションを選択するための指示または前記アプリケーションを起動させるコマンドを含む、請求項６に記載の方法。
【請求項９】
アプリケーション（ＡｐｐＥ）が、ユーザーの協力を得て、事象への方向を決定する、請求項６から８のいずれか一項に記載の方法。
【請求項１０】
アプリケーション（ＡｐｐＥ）が、センサーおよび／またはエンドユーザーの入力を用いる、請求項８に記載の方法。
【請求項１１】
カメラ（ＣＡＭ）のセットにより監視領域（ＳＺ）のセットをモニター可能なビデオ監視システム（ＶＳＳ）を動作させるための通信ネットワーク（ＴＮ）内のアプリケーションサーバー（ＡＳ）であって、ビデオ監視システム（ＶＳＳ）と通信可能であり、
緊急通報センター（ＥＣＣ）との緊急通報を確立した、そのユーザーが事象の目撃者である、各移動端末（ＭＴ）に対し、移動端末（ＭＴ）に関する位置データ（ＬｏｃＤ）を取得するための手段（ＡＣＱ）と、
取得された位置データ（ＬｏｃＤ）を用いて、移動端末が監視領域（ＳＺ）に位置するかを決定するための手段（ＬＯＣ）と、
移動端末から送信されたメッセージ（Ｍｅｓ）を受信するための手段（ＰＯＳ）であって、メッセージ（Ｍｅｓ）は移動端末の現在の位置データ（ＬｏｃＤｃ）と移動端末から事象への方向とを含む、受信するための手段（ＰＯＳ）と、
少なくとも２つの移動端末（ＭＴ）が同一の監視領域（ＳＺ）に位置する場合に、前記少なくとも２つの移動端末により提供される前記現在の位置データ（ＬｏｃＤｃ）と前記方向とを考慮して、事象の座標（ＣｄＩ）を計算するための手段（ＰＯＳ）と、
事象の座標（ＣｄＩ）を含む事象メッセージ（ＭｅｓＩ）を、事象の座標（ＣｄＩ）を用いて少なくとも１つのカメラ（ＣＡＭ）を選択可能なビデオ監視システム（ＶＳＳ）へ送信するための手段（ＴＲＡ）と
を備える、アプリケーションサーバー（ＡＳ）。
【請求項１２】
カメラ（ＣＡＭ）のセットにより監視領域（ＳＺ）のセットをモニター可能なビデオ監視システム（ＶＳＳ）を動作させるための通信ネットワーク（ＴＮ）内のアプリケーションサーバー（ＡＳ）において実行されるように構成されたコンピュータプログラムであって、アプリケーションサーバー（ＡＳ）はビデオ監視システム（ＶＳＳ）と通信可能であり、前記プログラムが前記プレゼンスサーバーで実行された場合に、
緊急通報センター（ＥＣＣ）との緊急通報を確立した、そのユーザーが事象の目撃者である、各移動端末（ＭＴ）に対し、移動端末（ＭＴ）に関する位置データ（ＬｏｃＤ）を取得するステップ（Ｓ１）と、
取得された位置データ（ＬｏｃＤ）を用いて、移動端末が監視領域（ＳＺ）に位置するかを決定するステップ（Ｓ２）と、
移動端末から送信されたメッセージ（Ｍｅｓ）を受信するステップ（Ｓ４）であって、メッセージ（Ｍｅｓ）は移動端末の現在の位置データ（ＬｏｃＤｃ）と移動端末から事象への方向とを含む、受信するステップ（Ｓ４）と、
少なくとも２つの移動端末（ＭＴ）が同一の監視領域（ＳＺ）に位置する場合に、前記少なくとも２つの移動端末により提供される前記現在の位置データ（ＬｏｃＤｃ）と前記方向とを考慮して、事象の座標（ＣｄＩ）を計算するステップ（Ｓ５）と、
事象の座標（ＣｄＩ）を含む事象メッセージ（ＭｅｓＩ）を、事象の座標（ＣｄＩ）を用いて少なくとも１つのカメラ（ＣＡＭ）を選択可能なビデオ監視システム（ＶＳＳ）へ送信するステップ（Ｓ６）と
を実行する命令を含む、コンピュータプログラム。
【国際調査報告】
2016503256.tif 000005
2016503256.tif 000006
2016503256.tif 000007